(57)【特許請求の範囲】
【請求項１】
少なくともパネル部およびファンネル部からなる外囲器と前記パネル部の内面に形成された蛍光面に対向して配置されたシャドウマスクと前記シャドウマスクを支持するマスクフレームと管軸と同軸上に取り付けられて前記ファンネル部内に配設された内部磁気シールドからなる陰極線管において、前記内部磁気シールドは前記マスクフレームの内側に張り出し電子ビームを遮蔽するエレクトロンシールドを具備し、前記エレクトロンシールドの長手方向に磁性金属材料を溶接して配設する衝立部を有することを特徴とする陰極線管。
【請求項２】
前記衝立部が管軸と平行な方向を向いていることを特徴とする請求項１記載の陰極線管。
【請求項３】
少なくともパネル部およびファンネル部からなる外囲器と前記パネル部の内面に形成された蛍光面に対向して配置されたシャドウマスクと前記シャドウマスクを支持するマスクフレームと管軸と同軸上に取り付けられて前記ファンネル部内に配設された内部磁気シールドからなる陰極線管において、前記マスクフレームに磁性金属材料を溶接して配設する衝立部を有することを特徴とする陰極線管。
【請求項４】
前記衝立部が管軸と平行な方向を向いていることを特徴とする請求項３記載の陰極線管。
【発明の詳細な説明】
【０００１】
【発明の属する技術分野】
本発明は、テレビジョンやパソコンモニタ等に使用される陰極線管に関するものである。
【０００２】
【従来の技術】
図８は、従来のテレビジョンやパソコンモニタ等の陰極線管で、電子銃２１から放出された電子ビーム２２を偏向ヨーク２３で垂直および水平方向に偏向し、画面全体に走査させて映像を再現する。このとき、図９や図１０のように、電子ビーム２２がマスクフレーム２４などに反射してハレーションが生じるのを防止するために内部磁気シールド２５にエレクトロンシールド２６を設けたり、マスクフレーム２４で電子ビーム２２を遮蔽し、ハレーション対策を行っていた。図９、図１０中の矢印はエレクトロンシールド２６もしくはマスクフレーム２４の先端部から吹き出る磁界の方向を示す。
【０００３】
【発明が解決しようとする課題】
上記のような内部磁気シールドにエレクトロンシールドを設けたり、マスクフレームで電子ビームを遮蔽した場合、地磁気などの外部磁界により、エレクトロンシールドもしくはマスクフレームの先端部より磁界が吹き出て、その磁界が電子ビームを歪曲させ、ランディングに悪影響を及ぼしていた。特に画面の上下部においては顕著にミスランディングが悪化していた。特に高精細が要求される陰極線管では管面端部でのミスランディングの改善が必要である。
【０００４】
本発明は、上記課題を解決するためになされたものであり、エレクトロンシールドやマスクフレームから吹き出す磁界による電子ビームの歪曲を少なくし、ミスランディングを減少させ色ズレや色ムラを防止する陰極線管を提供することを目的とする。
【０００５】
【課題を解決するための手段】
前記課題を解決するために、本発明の陰極線管は、以下の特徴を有する。
（１）少なくともパネル部およびファンネル部からなる外囲器と前記パネル部の内面に形成された蛍光面に対向して配置されたシャドウマスクと前記シャドウマスクを支持するマスクフレームと管軸と同軸上に取り付けられて前記ファンネル部内に配設された内部磁気シールドからなる陰極線管において、前記内部磁気シールドは前記マスクフレームの内側に張り出し電子ビームを遮蔽するエレクトロンシールドを具備し、前記エレクトロンシールドの長手方向に磁性金属材料を溶接して配設する衝立部を有することを特徴とする陰極線管線管とした。
【０００６】
（２）少なくともパネル部およびファンネル部からなる外囲器と前記パネル部の内面に形成された蛍光面に対向して配置されたシャドウマスクと前記シャドウマスクを支持するマスクフレームと管軸と同軸上に取り付けられて前記ファンネル部内に配設された内部磁気シールドからなる陰極線管において、前記マスクフレームに磁性金属材料を溶接して配設する衝立部を有することを特徴とする陰極線管とした。
【０００７】
本発明によれば、エレクトロンシールドやマスクフレームから吹き出す磁界による電子ビームの歪曲を少なくし、ミスランディングを減少させ色ズレや色ムラを防止する陰極線管を提供することができる。
【０００８】
【発明の実施の形態】
本発明の請求項１記載の発明は、少なくともパネル部およびファンネル部からなる外囲器と前記パネル部の内面に形成された蛍光面に対向して配置されたシャドウマスクと前記シャドウマスクを支持するマスクフレームと管軸と同軸上に取り付けられて前記ファンネル部内に配設された内部磁気シールドからなる陰極線管において、前記内部磁気シールドは前記マスクフレームの内側に張り出し電子ビームを遮蔽するエレクトロンシールドを具備し、前記エレクトロンシールドの長手方向に磁性金属材料を溶接して配設する衝立部を有することを特徴とする陰極線管としたもので、エレクトロンシールドから吹き出す磁界による電子ビームの歪曲を少なくし、ミスランディングを減少させ、色ズレや色ムラを防止する陰極線管を提供することができる。
【０００９】
本発明の請求項３記載の発明は、少なくともパネル部およびファンネル部からなる外囲器と前記パネル部の内面に形成された蛍光面に対向して配置されたシャドウマスクと前記シャドウマスクを支持するマスクフレームと管軸と同軸上に取り付けられて前記ファンネル部内に配設された内部磁気シールドからなる陰極線管において、前記マスクフレームに磁性金属材料を溶接して配設する衝立部を有することを特徴とする陰極線管としたもので、マスクフレームから吹き出す磁界による電子ビームの歪曲を少なくし、ミスランディングを減少させ色ズレや色ムラを防止する陰極線管を提供することができる。
【００１０】
以下、本発明の実施の形態における陰極線管について、図１〜図７を用いて説明する。
【００１１】
（実施の形態１）
図１は本発明の実施の形態１における陰極線管の概略図ある。この陰極線管は少なくともパネル部１およびファンネル部２からなる外囲器とパネル部１の内面に形成された蛍光面３に対向して配置されたシャドウマスク４とシャドウマスク４を支持するマスクフレーム５と管軸と同軸上に取り付けられてファンネル部２内に配設された内部磁気シールド６からなり、内部磁気シールド６には電子ビーム７を遮蔽するエレクトロンシールド８が具備されている。図２および図３は、図１におけるシャドウマスク４近傍の断面図である。図４は図２の断面斜視図である。
【００１２】
エレクトロンシールド８は、図２においてはエレクトロンシールド８長手方向に切欠きされ、そして管軸方向にほぼ平行に折り曲げられた折り曲げ衝立部９を形成し、図３においてはエレクトロンシールド８長手方向に磁性金属材料を溶接して溶接衝立部１０を形成している。ここでのエレクトロンシールド８長手方向とは図４に示すように、図中矢印方向であり、エレクトロンシールド８の辺に沿った方向である。図２および図３の矢印方向は、地磁気などの外部磁界がかかった時のエレクトロンシールド８、折り曲げ衝立部９および溶接衝立部１０から吹き出る磁界の向きを示す。
【００１３】
図５に、２５インチ陰極線管について管軸磁界および水平磁界に対する、従来のエレクトロンシールド（以下ＥＳ１と記す）、エレクトロンシールド８長手方向に切欠きされ、そして管軸方向にほぼ平行に折り曲げられた折り曲げ衝立部９を設けたエレクトロンシールド（以下ＥＳ２と記す）およびエレクトロンシールドと同材料の磁性金属材料であるＦｅ材を溶接し溶接衝立部１０を形成したエレクトロンシールド（以下ＥＳ３と記す）を用いた時の画面コーナー部のミスランディング量を示す。
【００１４】
管軸磁界および水平磁界に対して、ＥＳ１に比べＥＳ２およびＥＳ３を用いた方が、ミスランディング量が減少していることがわかる。これは、図２、図３に示すように、内部磁気シールド６やマスクフレーム５から流れてきた磁界の吹き出る場所が、エレクトロンシールド８の折り曲げ衝立部９もしくは溶接衝立部１０と、エレクトロンシールド先端部１１とに分散され、また、磁界の吹き出る方向も、エレクトロンシールド８の折り曲げ衝立部９もしくは溶接衝立部１０からは電子ビーム７の地磁気などから受ける力を相殺させる方向に吹き出る。
【００１５】
その結果、エレクトロンシールド先端部１１からの磁界の吹き出し量が従来に比べ減少し、エレクトロンシールド８近傍の電子ビーム７に与える磁界による力を低減させ、その結果、電子ビーム７の歪曲によるミスランディング量が減少した。
【００１６】
なお、種類の異なる陰極線管で、内部磁気シールドやマスクの大きさが変わっても、同様の効果が得られることは言うまでもない。
【００１７】
（実施の形態２）
図６は、実施の形態２における陰極線管のシャドウマスク近傍の断面図である。マスクフレーム１２には長手方向（マスクフレームの辺に沿った方向）に磁性金属材料を溶接して溶接衝立部１３を形成している。図６の矢印方向は、地磁気などの外部磁界がかかった時のマスクフレーム１２から吹き出る磁界の向きを示す。
【００１８】
図７に、２５インチ陰極線管について管軸磁界および水平磁界に対する、従来のマスクフレーム（以下ＭＦ１と記す）および磁性金属材料であるＦｅ材をマスクフレーム１２長手方向に溶接し溶接衝立部１３を形成したマスクフレーム（以下ＭＦ２と記す）を用いた時の画面コーナー部のミスランディング量を示す。
【００１９】
管軸磁界および水平磁界に対して、ＭＦ１に比べＭＦ２を用いた方が、ミスランディング量が減少していることがわかる。これは、図６に示すように、内部磁気シールド６やマスクフレーム１２から流れてきた磁界の吹き出る場所が、マスクフレーム１２の溶接衝立部１３と、マスクフレーム先端部１４とに分散され、また、磁界の吹き出る方向も、マスクフレーム１２の溶接衝立部１３からは電子ビーム７の地磁気などから受ける力を相殺させる方向に吹き出る。その結果、マスクフレーム先端部１４からの磁界の吹き出し量が従来に比べ減少し、マスクフレーム１２近傍の電子ビーム７に与える磁界による力を低減させ、その結果、電子ビーム７の歪曲によるミスランディング量が減少した。
【００２０】
なお、種類の異なる陰極線管で、内部磁気シールドやマスクの大きさが変わっても、同様の効果が得られることは言うまでもない。
【００２１】
【発明の効果】
以上のように、本発明の第１の形態によれば、エレクトロンシールドに切欠き折り曲げられた折り曲げ衝立部もしくは磁性金属材料を溶接した溶接衝立部を設けることで、内部磁気シールドやマスクフレームから流れてきた磁界の吹き出る場所が、エレクトロンシールドの折り曲げ衝立部もしくは溶接衝立部と、エレクトロンシールド先端部とに分散され、また、磁界の吹き出る方向も、エレクトロンシールドの折り曲げ衝立部もしくは溶接衝立部からは電子ビームの地磁気などから受ける力を相殺させる方向に吹き出る。その結果、エレクトロンシールド先端部からの磁界の吹き出し量が従来に比べ減少するので、吹き出す磁界による電子ビームの歪曲を少なくし、ミスランディングを減少させ、色ズレや色ムラを防止する陰極線管を提供することができる。
【００２２】
また、本発明の第２の形態によれば、マスクフレームに磁性金属材料を溶接した溶接衝立部を設けることで、内部磁気シールドやマスクフレームから流れてきた磁界の吹き出る場所が、マスクフレームの溶接衝立部と、マスクフレーム先端部とに分散され、また、磁界の吹き出る方向も、マスクフレームの溶接衝立部からは電子ビームの地磁気などから受ける力を相殺させる方向に吹き出る。その結果、マスクフレーム先端部からの磁界の吹き出し量が従来に比べ減少するので、吹き出す磁界による電子ビームの歪曲を少なくし、ミスランディングを減少させ、色ズレや色ムラを防止する陰極線管を提供することができる。
【図面の簡単な説明】
【図１】本発明の実施の形態１における陰極線管の概略図
【図２】本発明の実施の形態１における陰極線管のシャドウマスク近傍の断面図
【図３】本発明の実施の形態１における陰極線管のシャドウマスク近傍の断面図
【図４】本発明の実施の形態１における陰極線管のシャドウマスク近傍の断面斜視図
【図５】本発明の実施の形態１におけるエレクトロンシールド形状とミスランディング量との関係を示す図
【図６】本発明の実施の形態２における陰極線管のシャドウマスク近傍の断面図
【図７】本発明の実施の形態２におけるマスクフレーム形状とミスランディング量との関係を示す図
【図８】従来のテレビジョンやパソコンモニタ等の陰極線管の概略図
【図９】従来の陰極線管におけるシャドウマスク近傍の断面図
【図１０】従来の陰極線管におけるシャドウマスク近傍の断面図
【符号の説明】
１  パネル部
２  ファンネル部
３  蛍光面
４  シャドウマスク
５、１２ マスクフレーム
６  内部磁気シールド
７  電子ビーム
８  エレクトロンシールド
９  折り曲げ衝立部
１０、１３  溶接衝立部
１１  エレクトロンシールド先端部
１４  マスクフレーム先端部
【図１】
0004144150.tif 000002
【図２】
0004144150.tif 000003
【図３】
0004144150.tif 000004
【図４】
0004144150.tif 000005
【図５】
0004144150.tif 000006
【図６】
0004144150.tif 000007
【図７】
0004144150.tif 000008
【図８】
0004144150.tif 000009
【図９】
0004144150.tif 000010
【図１０】
0004144150.tif 000011